(57)【要約】      （修正有）【課題】操作性を改善した扇風機を提供する。【解決手段】回転駆動される送風羽根１と、送風羽根１が収容される羽根筐体部２と、羽根筐体部２の前方開口部を閉鎖する羽根ガード３と、羽根筐体部２の後方に設けられる本体部と、本体部の下部に設けられる支持脚部５と、を備えた扇風機であって、羽根筐体部２は、筒状本体を備え、この筒状本体の外周側面に第１操作部２３が設けられている。【選択図】図１
0003221064.tif 000002
【実用新案登録請求の範囲】
【請求項１】
回転駆動される送風羽根と、
送風羽根が収容される羽根筐体部と、
羽根筐体部の前方開口部を閉鎖する羽根ガードと、
羽根筐体部の後方に設けられる本体部と、
本体部の下部に設けられる支持脚部と、を備えた扇風機であって、
前記羽根筐体部は、筒状本体を備え、この筒状本体の外周側面に第１操作部が設けられていることを特徴とする扇風機。
【請求項２】
前記筒状本体は、前記外周側面に連続する前面縁部が形成され、この前面縁部に第２操作部が設けられていることを特徴とする請求項１に記載の扇風機。
【請求項３】
前記第１操作部は、ダイヤル式の操作部であることを特徴とする請求項１又は２に記載の扇風機。
【請求項４】
前記第２操作部は、ボタン式の操作部であることを特徴とする請求項２に記載の扇風機。
【請求項５】
前記ダイヤル式の操作部は、送風羽根の回転中心と同じ高さに配置されていることを特徴とする請求項３に記載の扇風機。
【請求項６】
前記第２操作部は、前記第１操作部に隣接配置されていることを特徴とする請求項２に記載の扇風機。
【考案の詳細な説明】
【技術分野】
【０００１】
本考案は、操作性を改善した扇風機に関する。
【背景技術】
【０００２】
扇風機の一般的な構成は、例えば、下記特許文献１に開示されるように送風羽根を支持する本体と、その下部に設けられる支柱と、支柱の下端部に設けられる基台からなる。そして、電源スイッチや風量調整等の操作部は基台に設けられる。
【先行技術文献】
【特許文献】
【０００３】
【特許文献１】特開２００５−２１４１０１
【考案の概要】
【考案が解決しようとする課題】
【０００４】
しかしながら、基台に操作部が設けられているので、操作するときに体を屈めなければならず、操作性において問題がある。
【０００５】
本考案は上記実情に鑑みてなされたものであり、その課題は、操作性を改善した扇風機を提供することである。
【課題を解決するための手段】
【０００６】
上記課題を解決するため本考案に係る扇風機は、
回転駆動される送風羽根と、
送風羽根が収容される羽根筐体部と、
羽根筐体部の前方開口部を閉鎖する羽根ガードと、
羽根筐体部の後方に設けられる本体部と、
本体部の下部に設けられる支持脚部と、を備えた扇風機であって、
前記羽根筐体部は、筒状本体を備え、この筒状本体の外周側面に第１操作部が設けられていることを特徴とするものである。
【０００７】
かかる構成による扇風機の作用・効果を説明する。この扇風機は、送風羽根が収容される羽根筐体部を備え、この羽根筐体部は筒状本体を備え、その外周側面に第１操作部が設けられている。すなわち、支持脚部の下端にある基台に操作部を配置するのではなく、羽根筐体部に配置している。従って、わざわざ体を大きく屈ませなくても操作することができ、操作性が改善される。その結果、操作性を改善した扇風機を提供することができる。
【０００８】
本考案に係る前記筒状本体は、前記外周側面に連続する前面縁部が形成され、この前面縁部に第２操作部が設けられていることが好ましい。
【０００９】
この構成によると、羽根筐体部の筒状本体の前面縁部に第２操作部が設けられる。従って、扇風機に必要な操作部を第１操作部と第２操作部に分けて配置することができる。
【００１０】
本考案に係る前記第１操作部は、ダイヤル式の操作部であることが好ましい。人間工学的には、外周側面の第１操作部はダイヤル式にすることで操作を容易に行うことができる。
【００１１】
本考案に係る前記第２操作部は、ボタン式の操作部であることが好ましい。前方に配置される第２操作部は、人間工学的には、ボタン式にすることで操作を容易に行うことができる。
【００１２】
本考案に係る前記ダイヤル式の操作部は、送風羽根の回転中心と同じ高さに配置されていることが好ましい。かかる構成により、無理のない姿勢で操作部を操作することができる。
【００１３】
本考案に係る第２操作部は、前記第１操作部に隣接配置されていることが好ましい。これにより、第１操作部と第２操作部を同じ姿勢で操作することができる。
【図面の簡単な説明】
【００１４】
【図１】本実施形態に係る扇風機の正面図
【図２】本実施形態に係る扇風機の側面図
【図３】本実施形態に係る扇風機の背面図
【図４】本実施形態に係る扇風機の中央縦断面図
【図５】操作部の部分拡大斜視図
【図６】操作部の部分拡大正面図
【考案を実施するための形態】
【００１５】
本考案に係る扇風機の好適な実施形態を図面を用いて説明する。図１は、本実施形態に係る扇風機の正面図である。図２は、同じく側面図である。図３は、同じく背面図である。図４は、中央縦断面図である。
【００１６】
図１、図２等に示すように、本考案に係る扇風機は、回転駆動される送風羽根１と、この送風羽根１が収容される羽根筐体部２と、羽根筐体部２の前方開口部を閉鎖する羽根ガード３を備えている。送風羽根１は７枚の羽根を有しているが、羽根の枚数や形状は特定のものに限定されるものではない。羽根ガード１は、羽根筐体部２に対して着脱自在に取り付けられる。
【００１７】
羽根筐体部２は、リング状の筒状本体を有しており、外周側面２０と前面縁部２１と後面縁部２２を有している。前面縁部２１は、所定の幅を有したリング状であり、その内側に羽根ガード３が設けられる。後面縁部２２も所定の幅を有したリング状であり、その内側に後部羽根ガード７を備えている。外周側面２０と前面縁部２１と後面縁部２２は、樹脂により一体形成される。
【００１８】
後部羽根ガード７（羽根筐体部２）の後方には、本体部４が設けられており、送風羽根１を回転させるモーターやその他の駆動回路、制御回路が配置されている。本体部４には、持ち手８が設けられており、軸芯８ａ周りに回転可能に本体部４の左右側面にて支持されている。持ち手８を軸芯８ａ周りに回転させて上方に移動させることで、持ち手８を手で持って扇風機を持ち運ぶことができる。
【００１９】
本体部４の下部には支持脚部５が設けられている。支持脚部５は、垂直な棒状部材が複数組み合わせて構成されており、伸縮させることで長さを調整することができる。支持脚部５の下端にはベース６が取り付けられている。伸縮機構は周知の構成でもよい。
【００２０】
図４に示すように、本体部４の内部には、送風羽根１を駆動する駆動モータ４０や、不図示の電源回路や制御回路が配置されている。
【００２１】
図５は、操作部の部分拡大斜視図である。図６は、操作部の部分拡大正面図である。操作部は、筒状本体の外周側面２０に配置される操作ダイヤル２３（第１操作部に相当）と、筒状本体の前面縁部２１に配置されるボタン群２４（第２操作部に相当）とを備えている。操作ダイヤル２３は、水平軸周りに回転することができ、その回転中心の高さは、送風羽根１の回転中心と同じ高さである。
【００２２】
ボタン群２４は、第１ボタン２４ａ、第２ボタン２４ｂ、第３ボタン２４ｃをそなえており、タッチスイッチ方式の操作部であり、正面側からタッチすることができる。ボタン群２４は、操作ダイヤル２３の近傍に配置され、高さも操作ダイヤル２３とほぼ同じである。特に、真ん中の第２ボタン２４ｂは、操作ダイヤル２３と同じ高さに位置する。
【００２３】
操作ダイヤル２３は、電源ＯＮ／ＯＦＦの機能と風量調整の機能を有する。また、第１ボタン２４ａは左右首振り、第２ボタン２４ｂはＯＮ／ＯＦＦタイマーの設定、第３ボタン２４ｃはリズム／おやすみ風モード設定の機能を有する。
【００２４】
ボタン群２４に隣接してＬＥＤ表示群２５が設けられており、第１表示部２５ａ、第２表示部２５ｂ、第３表示部２５ｃにより構成される。第２表示部２５ｂは複数のＬＥＤにより構成されており、点灯数によりタイマー時間を表示する。
【００２５】
＜別実施形態＞
ボタンはタッチスイッチではなく、その他の機械的スイッチ、例えば、押しボタン式のボタンを採用してもよい。
【符号の説明】
【００２６】
１        送風羽根
２        羽根筐体部
２０      外周側面
２１      前面縁部
２２      後面縁部
２３      操作ダイヤル２３
２４      押しボタン群
２４ａ    第１ボタン
２４ｂ    第２ボタン
２４ｃ    第３ボタン
２５      ＬＥＤ表示群
２５ａ    第１表示部
２５ｂ    第２表示部
２５ｃ    第３表示部
３        羽根ガード
４        本体部
５        支持脚部
６        ベース
７        後部羽根ガード
【図１】
0003221064.tif 000003
【図２】
0003221064.tif 000004
【図３】
0003221064.tif 000005
【図４】
0003221064.tif 000006
【図５】
0003221064.tif 000007
【図６】
0003221064.tif 000008